(57)【特許請求の範囲】
【請求項１】
測定方向(6)に直角に延びる一つの回転自在な後側の測定接触部(1)を備えた一つの携帯用距離計(4)用の測定接触装置に於いて、前記後側の測定接触部(1)が線状に形成されており、且これが少なくとも二つの測定接触範囲(1a,1b)に分割され、少なくとも一つの測定接触範囲(1b)が前記測定方向(6)に平行に延びる一つの軸(3)を中心に回転自在であることを特徴とする前記測定接触装置。
【請求項２】
回転自在の前記測定接触範囲(1b)が前記軸(3)の両側に対称に配置されていることを特徴とする請求の範囲第１項記載の測定接触装置。
【請求項３】
前記軸(3)が前記距離計(4)の長軸(5)と一致していることを特徴とする請求の範囲第１項又は第２項記載の測定接触装置。
【請求項４】
回転自在の前記測定接触範囲(1b)が前記距離計(4)の前記長軸(5)に対して非対称に配置されていることを特徴とする請求の範囲第１項又は第２項記載の測定接触装置。
【請求項５】
それぞれ一つの軸(3a,3b)を中心に回転自在の二つの測定接触範囲(1a,1b)を備えていることを特徴とする請求の範囲第１項又は第２項記載の測定接触装置。
【発明の詳細な説明】
本発明は請求の範囲第１項の上位概念に記載の携帯用距離計用の測定接触装置に関する。
国際公開番号第94/27164号により公知の、又はスイス、ヘールブルック(9435Heerbrugg)在のライカ株式会社(Leika AG)の使用説明書『ディスト』(Disto)に記載のオプトエレクトロニク型距離計は携帯用で、一つの物点までの距離を光学的に測定することができる。その際物点までの距離は距離計の前側の測定接触部又は後側の測定接触部から測定する。測定接触部としては一般に測定方向に対して直角の距離計ケースの前面と後面とが利用される。この両方の測定接触部に距離計のキーボードのそれぞれ一つの測定キーが配分され、その操作によりどちらかの距離の測定が開始され、距離の測定値が一つの表示器に表示される。
この種のオプトエレクトロニク型距離計は主として建設測量に使用される。赤色の可視波長の範囲で発光する半導体レーザダイオードが目標物に一つの光点を作り、こうして距離を測定しようとする目標物の位置を正確に目標とすることができる。
更に直角の空間の場合には、長さ、幅、高さの測定によりその空間の個々の面積又は体積をもこの距離計により自動的に測定して表示器に表示することができる。その際照合の目的でしばしば表面の対角線も測定される。しかしこの距離計の平らな後側の測定接触部では二つの隣接した壁面の間の稜線の中に接触することができないので、この距離計は更に一つの折畳式の稜測定弓形材を備える。この稜測定弓形材は開いた状態に於いて稜線に対する測定接触部となる。可視のレーザ光点を用いて対角線状に(測定器に)対向した稜線に目標を定めてそこまでの距離、即ち当該の表面の対角線の長さを測ることができる。
しかし本来の距離測定はその際普通は後側の正規の測定接触部からのみ行われる。従って使用者は表示された測定結果に稜測定弓形材自体の深さを更に追加する必要がある。この折畳式の開いた稜線測定弓形材の深さ、即ち距離計の後側の測定接触部と(弓形材の接触した)稜線との間隔は既知である。この種の距離測定に於いては、不注意な使用者が誤った数値を追加したり又は追加を失念して誤った測定値が得られる危険性がある。更に稜測定弓形材が測定接触部に対してその直角な固定位置からずれて、予め与えられた追加常数が実際の状況に相当しない危険性もある。
本発明の課題は、簡単な信頼できる経済的な機械的手段により、一つの距離計による距離の測定を一つの稜線からも又一つの平面からもその都度同じ測定接触部、同じ測定手順で、又表示器への即座の正しい距離の表示により可能にすることである。
この課題は本発明によれば請求の範囲第１項の特徴部に記載の手段により解決される。本発明の有利な形態と展開とは下位の請求の範囲に記載してある。
本発明によれば一つには距離計の後側の測定接触部を線状に形成する。その際好ましくはこの線状の測定接触部は計器の幅の方向に平行に延びる。測定接触部の線の形状は例えば、計器のケースを下方に次第に狭くすることにより得られる。その場合二つの平らな表面を鋭角をなして互いに接近させて、接触線として鋭いエッジを作ることができる。このエッジから直角の方向に或る物点迄の距離を測定する。
このような鋭いエッジは稜の測定用として理想的である。このエッジが、二つの隣接した壁面により形成される稜線に直接接触する。この稜線との接触は計器が回された場合でも得られる。例えば特にある空間の正方形の底面の対角線の測定の場合、計器と稜線を形成する側壁との間の角度は45°であるが、一般の矩形の底面の場合にはこの角度は45°からずれて、矩形の幅が狭くなるほどこのずれは大きく成る。このような場合でも鋭いエッジならば測定接触部として常に稜線に直接接触させることができる。
このようなエッジの代りに後側の測定接触部はもっと滑らかな形に形成することも可能である。例えばこれを円筒形に丸めることもできる。この円筒形の測定接触部でもその曲率半径が稜線の曲率半径よりも小さければ、二つの壁の間の稜線とただ一本の線での接触が可能である。距離の測定は測定接触部の最後部の線から行うので、そのため適切な曲率半径が選定される。曲率半径が大きいため測定接触部が両側の側壁に触れて２本の接触線が生じた場合でも、その際の測定誤差は僅かで、実用上は通常の測定公差の範囲内にある。これは非常に幅の狭い矩形の空間の対角線の測定の場合で測定接触部が両側の壁と２本の接触線を作るような場合にも同じことが適用される。
即ちこのような線状の測定接触部を使用すれば、正規の測定として先ず稜線に直角に距離測定を行うことができる。一方又一つの平らな面からも測定しようとすれば、測定接触部の線状の形は線の方向には面と安定した直角が得られるが、斜めの方向では不安定となり、計器がその円筒形の表面の上で動き出すおそれがある。この斜めの方向の不安定を避けるために、本発明によれば線状の測定接触部を少なくとも二つの測定接触範囲に分割し、一方の測定接触範囲を測定方向に平行に延びる軸を中心に回転自在に形成する。こうしてこの回転自在の測定接触範囲が回転して測定方向に対して直角な一つの平面内を移動し、この回転に基づいて両方の線状の測定接触範囲が種々の方向に動いて一つの平面を規定する。従ってこの平面が距離計に対して一つの平らな床面の上で安定した支えとなり、測定方向を床面に対して直角に方向づけるように作用する。
ここで測定接触部の一部の回転用の小さい取っ手を設けて、一つの平面例えば一つの壁面又は床面から向かい合った一つの平面又は一つの指定点迄の距離を測定できるようにする。又は一つの稜線から直角の方向に測定できるようにする。この両方の測定の場合線状の後側の測定接触部は距離測定の基準線となる。この方法でこの両方の場合にも使用者は距離測定値を計器の表示器から直接読み取ることができる。ある平面上で後側の測定接触部が不安定な位置にあれば、使用者は安定な接触位置又は設置位置を得るための回転自在の部品の操作を必ず思い出すであろう。
次に本発明の実施例を図面に基づいて詳しく説明する。ここで、
第1a図は本発明の測定接触装置付きの携帯用距離計の概略図、
第1b図は第1a図の測定接触装置の側面図、
第1c図は回転自在の測定接触範囲を第1a図に対して90°回転した時の測定接触装置の図、
第1d図は第1c図の測定接触装置の側面図、
第２図は距離計に対して非対称に配置した回転自在の測定接触範囲の図及び
第３図は二つの回転自在の測定接触範囲を備えた測定接触装置の図である。
第1a図は、本発明の線状の後側測定接触部１を備えた携帯用距離計４の概略図である。この測定接触部１は二つの測定接触範囲1a、1bに分割してある。左側と右側の測定接触範囲1aは距離計４に固定してあるが、その間にある測定接触範囲1bは軸３を中心に回転自在である。この実施例では軸３と計器の長軸５とは一致している。更に計器の長軸５は距離計４の測定方向６と同一である。測定方向６は測定を行うべき目標物又は物点の方向で、後側の測定接触部１に対しては直角である。
一方では測定接触部１が線状に形成され、他方では距離計４はある厚さを有するので、その間に移行区域2,2aがあり、これは種々の形状をとることができる。例えば鋭いエッジで終わる平らな面とすることができ、その際鋭いエッジを測定接触範囲1a,1bとしてもよい。又移行区域2,2aは第1a図又はその側面図第1b図に示すように湾曲した表面であってもよく、その測定接触範囲1a,1bは円筒形の丸みを有する。固定の測定接触範囲1aと回転自在の測定接触範囲1bとが一直線状になっていれば(第1a図、第1b図)距離計４を二つの壁の間に形成される一つの稜線に容易に接触させることができ、稜線からの距離の測定が問題無く可能になる。距離計４の表示器に示された距離の測定値は既に稜線から目標物までの距離に相当し、従来の技術で使用者が実施すべき数値の追加の必要はなくなった。
距離計４を一つの平らな面に垂直に接触させる場合には、本発明によれば回転自在の測定接触範囲1bを軸３を中心に回して、固定の測定接触範囲1aの向きに対して任意の角度に調節できる。軸３は距離計４の測定方向６に平行に延びるので、測定接触範囲1a,1bは常にこの軸に直角な平面内にある。第1c図に測定接触範囲1bを測定接触範囲1aに対して90°回した位置を示す。第1d図はその側面図で、こうして測定方向６は距離計４の床面に対して直角に安定して向けられ、稜線の測定の場合と同じ測定接触部１から測定が行われる。
即ち回転自在の測定接触範囲1bと測定接触範囲1a,1bの線状の形状により距離の測定を稜線からも又平らな面からも安定した測定接触部１により実施することができる。常に同一の測定接触部１から測定されるので表示された距離の測定値を補正する必要はない。
第２図は本発明の変形例で、非対称的に配置した回転自在の測定接触範囲1bを備え、その軸３は計器の長軸５に平行にずらしてある。更に距離計４の片側に、これに固定した測定接触範囲1aがある。この配置により回転自在の測定接触範囲1bの長さが増えて、固定の測定接触範囲1aに対して斜めの位置の場合に大きな三角形の床面が形成され、距離計４を更に安定に支える。
第３図はもう一つの変形例で、軸3a,3bを中心に二つの回転自在の測定接触範囲1a，1bを備える。測定接触範囲1a,1bが一直線上にあれば、第1a図、第1b図により説明したように、稜線からの距離の測定が可能である。平らな面からの距離の測定には両方の測定接触範囲1a,1b、乃至これと結合した移行区域2a,2bをそれぞれの軸3a,3bを中心に回転する。例えば両方がその元の位置にほぼ直角に成るまで、両者を互いに反対方向に回す。こうして距離計４の非常に安定した支持が得られるが、距離計４の製作費がいくらか高くなることを見込む必要がある。両方の軸3a,3bの間に歯車連結や駆動ベルトなどがなければ、調整には第１図及び第２図に示した１個の取っ手の代りに２個の取っ手が必要である。
【図１ａ】
0003819038.tif 000002
【図１ｂ】
0003819038.tif 000003
【図１ｃ】
0003819038.tif 000004
【図１ｄ】
0003819038.tif 000005
【図２】
0003819038.tif 000006
【図３】
0003819038.tif 000007